(57)【要約】【課題】軸筒の前端からのペン先出長さを調節できるとともに、軸筒の前端からのペン先出長さを調節した後でも優れた外観性を維持できる筆記具を提供する。【解決手段】軸筒２内に筆記体７を収容し、筆記体７のペン先７１を軸筒２の前端孔３１を通して外部に突出させる。軸筒２が、前端に前端孔３１を備えた前軸３と、該前軸３の後端部と前後方向に移動可能に接続される後軸４と、回転操作によって前軸３を後軸４に対して前後方向に移動させる操作筒５とからなる。前軸３の外面にオネジ部３３を形成する。後軸４の外面に環状溝４１を形成する。操作筒５の内面に、オネジ部３３と螺合可能なメネジ部５１と、環状溝４１と摺動可能に係合される突起５２とを形成する。前軸３の外面に凸部３２を形成する。後軸４の内面に凹部４２を形成する。凸部３２と凹部４２とが前後方向に摺動可能に係合される。【選択図】  図１
2010162752.tif 000002
【特許請求の範囲】
【請求項１】
軸筒内に筆記体を収容し、前記筆記体のペン先を前記軸筒の前端孔を通して外部に突出させた筆記具であって、前記軸筒が、前端に前端孔を備えた前軸と、該前軸の後端部と前後方向に移動可能に接続される後軸と、回転操作によって前記前軸を前記後軸に対して前後方向に移動させる操作筒とからなり、前記前軸または前記後軸のうちの一方の外面にオネジ部を形成し、前記前軸または前記後軸のうちの他方の外面に環状溝を形成し、前記操作筒の内面に、前記オネジ部と螺合可能なメネジ部と、前記環状溝と摺動可能に係合される突起とを形成し、前記前軸または前記後軸のうちの一方の外面に凸部を形成し、前記前軸または前記後軸のうちの他方の内面に凹部を形成し、前記凸部と前記凹部とが前後方向に摺動可能に係合されることを特徴とする筆記具。
【請求項２】
前記前軸の後端部外面に凸部を形成し、前記凸部より前方の前軸の外面にオネジ部を形成し、前記後軸の前端部外面に環状溝を形成し、前記後軸の前端部内面に前後方向に延びる凹部を形成し、前記前軸の凸部と前記後軸の凹部とが前後方向に摺動可能に係合される請求項１記載の筆記具。
【請求項３】
前記後軸の前端部外面に凸部を形成し、前記凸部より後方の後軸の外面にオネジ部を形成し、前記前軸の後端部外面に環状溝を形成し、前記前軸の後端部内面に前後方向に延びる凹部を形成し、前記後軸の凸部と前記前軸の凹部とが前後方向に摺動可能に係合される請求項１記載の筆記具。
【請求項４】
前記軸筒内に複数の筆記体を前後方向に移動可能に収容し、前記各々の筆記体を弾発体により後方に付勢し、前記各々の弾発体を後軸内に収容し、前記各々の筆記体の後端に操作体を取り付け、前記後軸の側壁に前後方向に延びる複数の窓孔を径方向に貫設し、前記各々の窓孔から径方向外方に前記各々の操作体を突出させ、一つの操作体を窓孔に沿って前方にスライドさせることにより、前記スライドした操作体が取り付けられた筆記体のペン先を前記前軸の前端孔を通して選択的に出没させてなる請求項１、２または３記載の筆記具。
【発明の詳細な説明】
【技術分野】
【０００１】
本発明は、筆記具に関する。詳細には、軸筒内に筆記体を収容し、前記筆記体のペン先を前記軸筒の前端孔を通して外部に突出させた筆記具に関する。
【背景技術】
【０００２】
特許文献１には、軸筒が前軸と後軸とからなり、前軸と後軸が螺着されて取り外し可能に連結される多芯筆記具が記載されている。
【先行技術文献】
【特許文献】
【０００３】
【特許文献１】特開平６−３１６１９５号公報
【発明の概要】
【発明が解決しようとする課題】
【０００４】
前記従来の筆記具は、前軸と後軸との螺合を緩めることにより、軸筒の前端からのペン先出長さを調節できるとしても、前軸と後軸との間の軸筒外面に環状の隙間が形成され、外観性が損なわれるおそれがある。
【０００５】
本発明は、前記従来の問題点を解決するものであって、軸筒の前端からのペン先出長さを調節できるとともに、軸筒の前端からのペン先出長さを調節した後でも優れた外観性を維持できる筆記具を提供しようとするものである。尚、本発明において、「前」とはペン先側を指し、「後」とはその反対側を指す。
【課題を解決するための手段】
【０００６】
本願の第１の発明は、軸筒２内に筆記体７を収容し、前記筆記体７のペン先７１を前記軸筒２の前端孔３１を通して外部に突出させた筆記具であって、前記軸筒２が、前端に前端孔３１を備えた前軸３と、該前軸３の後端部と前後方向に移動可能に接続される後軸４と、回転操作によって前記前軸３を前記後軸４に対して前後方向に移動させる操作筒５とからなり、前記前軸３または前記後軸４のうちの一方の外面にオネジ部３３，４４を形成し、前記前軸３または前記後軸４のうちの他方の外面に環状溝４１，３４を形成し、前記操作筒５の内面に、前記オネジ部３３，４４と螺合可能なメネジ部５１と、前記環状溝４１，３４と摺動可能に係合される突起５２とを形成し、前記前軸３または前記後軸４のうちの一方の外面に凸部３２，４３を形成し、前記前軸３または前記後軸４のうちの他方の内面に凹部４２，３５を形成し、前記凸部３２，４３と前記凹部４２，３５とが前後方向に摺動可能に係合されることを要件とする。（図１乃至図６参照）
【０００７】
前記第１の発明の筆記具１は、操作筒５を回転操作することによって、前軸３が後軸４に対して前後方向に移動され、それにより、軸筒２の前端からのペン先出長さを調節できる。さらに、前記第１の発明の筆記具１は、軸筒２の前端からのペン先出長さを調節した後でも前記操作筒５によって、前軸３と後軸４との間に環状の隙間が視認されず、軸筒２外面の外観性が損なわれることがない。
【０００８】
本願の第２の発明は、前記第１の発明の筆記具１において、前記前軸３の後端部外面に凸部３２を形成し、前記凸部３２より前方の前軸３の外面にオネジ部３３を形成し、前記後軸４の前端部外面に環状溝４１を形成し、前記後軸４の前端部内面に前後方向に延びる凹部４２を形成し、前記前軸３の凸部３２と前記後軸４の凹部４２とが前後方向に摺動可能に係合されることを要件とする。（図１乃至図３参照）
【０００９】
前記第２の発明の筆記具１は、操作筒５の回転操作によって前軸３を後軸４に対して前後方向に確実に移動させることができ、且つ、前軸３と後軸４とを確実に相対回転不能に係合させることができる。
【００１０】
本願の第３の発明は、前記第１の発明の筆記具１において、前記後軸４の前端部外面に凸部４３を形成し、前記凸部４３より後方の後軸４の外面にオネジ部４４を形成し、前記前軸３の後端部外面に環状溝３４を形成し、前記前軸３の後端部内面に前後方向に延びる凹部３５を形成し、前記後軸４の凸部４３と前記前軸３の凹部３５とが前後方向に摺動可能に係合されることを要件とする。（図４乃至図６参照）
【００１１】
前記第３の発明の筆記具１は、操作筒５の回転操作によって前軸３を後軸４に対して前後方向に確実に移動させることができ、且つ、前軸３と後軸４とを確実に相対回転不能に係合させることができる。
【００１２】
前記本願の第４の発明は、前記第１、第２、または第３の発明の筆記具１において、前記軸筒２内に複数の筆記体７を前後方向に移動可能に収容し、前記各々の筆記体７を弾発体８により後方に付勢し、前記各々の弾発体８を後軸４内に収容し、前記各々の筆記体７の後端に操作体７２を取り付け、前記後軸４の側壁に前後方向に延びる複数の窓孔４５を径方向に貫設し、前記各々の窓孔４５から径方向外方に前記各々の操作体７２を突出させ、一つの操作体７２を窓孔４５に沿って前方にスライドさせることにより、前記スライドした操作体７２が取り付けられた筆記体７のペン先７１を前記前軸３の前端孔３１を通して選択的に出没させてなることを要件とする。（図１乃至図６参照）
【００１３】
前記第４の発明の筆記具１は、軸筒２の前端からのペン先出長さを調節できる多芯タイプの出没式筆記具（即ち、複数の筆記体７のペン先７１を選択的に出没可能な多芯タイプの出没式筆記具）を得る。
【発明の効果】
【００１４】
本発明の筆記具によれば、軸筒の前端からのペン先出長さを調節できるとともに、軸筒の前端からのペン先出長さを調節した後でも優れた外観性を維持できる。
【図面の簡単な説明】
【００１５】
【図１】本発明の第１の実施の形態の全ペン先没入状態の縦断面図である。
【図２】図１のペン先突出状態を示す縦断面図である。
【図３】図１のＡ−Ａ線断面図である。
【図４】本発明の第２の実施の形態の全ペン先没入状態の縦断面図である。
【図５】図４のペン先突出状態を示す縦断面図である。
【図６】図４のＢ−Ｂ線断面図である。
【発明を実施するための形態】
【００１６】
＜第１の実施の形態＞
図１乃至図３に本発明の第１の実施の形態を示す。
【００１７】
本実施の形態の筆記具１は、軸筒２内に複数本の筆記体７が収容され、前記各々の筆記体７のペン先７１が軸筒２の前端の前端孔３１より選択的（択一的）に外部に出没される多芯タイプの出没式筆記具である。前記各々の筆記体７の後端部には、操作体７２が取り付けられる。前記各々の筆記体７は、弾発体８（コイルスプリング）により後方に常時付勢されている。
【００１８】
前記軸筒２は、円筒状の前軸３と、前記前軸３に接続される円筒状の後軸４と、前記前軸３の外面及び後軸４の外面と係合される円筒状の操作筒５からなる。前記前軸３、前記後軸４、及び前記操作筒５は、合成樹脂または金属材料からなる。
【００１９】
・前軸
前記前軸３の前端部は先細状に形成される。前記前軸３の前端に、前端孔３１が前後方向に貫設される。前記前軸３の後端部外面には、軸線に対して１８０度対称位置に１対の凸部３２が形成される。前記凸部３２の前方の前軸３外面にはオネジ部３３が形成される。
【００２０】
・後軸
前記後軸４の前端部外面に環状溝４１が形成される。前記後軸４の前端部内面に前後方向に延びる凹部４２が形成される。前記前軸３の凸部３２と前記後軸４の凹部４２とが前後方向に摺動可能に係合され、それにより、前記前軸３と前記後軸４とが確実に相対回転不能に係合される。
【００２１】
前記後軸４の後端部側壁には前後方向に延びる複数の窓孔４５が形成される。前記各々の窓孔４５から各々の筆記体７の操作体７２が外部に突出される。前記各々の操作体７２を窓孔４５に沿って前方にスライド操作することによって、各々の筆記体７のペン先７１が選択的に前端孔３１より出没される。前記後軸４の窓孔４５相互間の側壁内面には、係止壁部４６が一体に形成される。前記係止壁部４６に、ペン先突出状態の筆記体７の後端に取り付けられた操作体７２の後端が係止される。
【００２２】
前記後軸４の後端には、窓孔４５を後方に切り欠き状に開口する開口部が形成される。また、前記後軸４の後端には、前記開口部を開閉自在にする蓋部６が設けられる。前記蓋部６の前面には、ペン先没入状態の筆記体７に取り付けられた操作体７２の後端が当接可能な当接壁部６１が形成される。前記開口部を介して、操作体７２を備えた筆記体７を軸筒２内に挿入且つ軸筒２内から取り外し可能（交換可能）である。
【００２３】
・操作筒
前記操作筒５の内面には、前記前軸３のオネジ部３３と螺合可能なメネジ部５１が形成される。前記メネジ部５１よりも後方の操作筒５の内面には、前記後軸４の環状溝４１と係合される突起５２（例えば、環状突起または複数の分散状突起）が形成される。前記操作筒５内面の突起５２と前記後軸４外面の環状溝４１とは、周方向に摺動可能である。
【００２４】
本実施の形態の筆記具１によれば、前記操作筒５を回転操作すると、前軸３が後軸４に対して前後方向に移動され、係止壁部４６と前軸３前端との軸方向の距離が調節でき、それにより、前軸３前端からの筆記体７のペン先７１の突出長さを調節することができる。さらに、本実施の形態の筆記具１によれば、軸筒２の前端からのペン先出長さを調節した後でも、前記操作筒５によって、前軸３と後軸４との間に環状の隙間が視認されず、軸筒２外面の外観性が損なわれることがない。
【００２５】
＜第２の実施の形態＞
図４乃至図６に本発明の第２の実施の形態を示す。
【００２６】
本実施の形態の筆記具１は、軸筒２内に複数本の筆記体７が収容され、前記各々の筆記体７のペン先７１が軸筒２の前端の前端孔３１より選択的（択一的）に外部に出没される多芯タイプの出没式筆記具である。前記各々の筆記体７の後端部には、操作体７２が取り付けられる。前記各々の筆記体７は、弾発体８（コイルスプリング）により後方に常時付勢されている。
【００２７】
前記軸筒２は、円筒状の前軸３と、前記前軸３に接続される円筒状の後軸４と、前記前軸３の外面及び後軸４の外面と係合される円筒状の操作筒５からなる。前記前軸３、前記後軸４、及び前記操作筒５は、合成樹脂または金属材料からなる。
【００２８】
・前軸
前記前軸３の前端部は先細状に形成される。前記前軸３の前端に、前端孔３１が前後方向に貫設される。前記前軸３の後端部外面に環状溝３４が形成される。前記前軸３の後端部内面に前後方向に延びる凹部３５が形成される。
【００２９】
・後軸
前記後軸４の前端部外面には、軸線に対して１８０度対称位置に１対の凸部４３が形成される。前記凸部４３の後方の後軸４外面にはオネジ部４４が形成される。前記後軸４の凸部４３と前記前軸３の凹部３５とが前後方向に摺動可能に係合され、それにより、前記前軸３と前記後軸４とが確実に相対回転不能に係合される。
【００３０】
前記後軸４の後端部側壁には前後方向に延びる複数の窓孔４５が形成される。前記各々の窓孔４５から各々の筆記体７の操作体７２が外部に突出される。前記各々の操作体７２を窓孔４５に沿って前方にスライド操作することによって、各々の筆記体７のペン先７１が選択的に前端孔３１より出没される。前記後軸４の窓孔４５相互間の側壁内面には、係止壁部４６が一体に形成される。前記係止壁部４６に、ペン先突出状態の筆記体７の後端に取り付けられた操作体７２の後端が係止される。
【００３１】
前記後軸４の後端には、窓孔４５を後方に切り欠き状に開口する開口部が形成される。また、前記後軸４の後端には、前記開口部を開閉自在にする蓋部６が設けられる。前記蓋部６の前面には、ペン先没入状態の筆記体７に取り付けられた操作体７２の後端が当接可能な当接壁部６１が形成される。前記開口部を介して、操作体７２を備えた筆記体７を軸筒２内に挿入且つ軸筒２内から取り外し可能（交換可能）である。
【００３２】
・操作筒
前記操作筒５の内面には、前記後軸４のオネジ部４４と螺合可能なメネジ部５１が形成される。前記メネジ部５１よりも前方の操作筒５の内面には、前記前軸３の環状溝３４と係合される突起５２（例えば、環状突起または複数の分散状突起）が形成される。前記操作筒５内面の突起５２と前記前軸３外面の環状溝３４とは、周方向に摺動可能である。
【００３３】
本実施の形態の筆記具１によれば、前記操作筒５を回転操作すると、前軸３が後軸４に対して前後方向に移動され、係止壁部４６と前軸３前端との軸方向の距離が調節でき、それにより、前軸３前端からの筆記体７のペン先７１の突出長さを調節することができる。さらに、本実施の形態の筆記具１によれば、軸筒２の前端からのペン先出長さを調節した後でも、前記操作筒５によって、前軸３と後軸４との間に環状の隙間が視認されず、軸筒２外面の外観性が損なわれることがない。
【符号の説明】
【００３４】
１  筆記具
２  軸筒
３  前軸
３１  前端孔
３２  凸部
３３  オネジ部
３４  環状溝
３５  凹部
４  後軸
４１  環状溝
４２  凹部
４３  凸部
４４  オネジ部
４５  窓孔
４６  係止壁部
５  操作筒
５１  メネジ部
５２  突起
６  蓋部
６１  当接壁部
７  筆記体
７１  ペン先
７２  操作体
８  弾発体
【図１】
2010162752.tif 000003
【図２】
2010162752.tif 000004
【図３】
2010162752.tif 000005
【図４】
2010162752.tif 000006
【図５】
2010162752.tif 000007
【図６】
2010162752.tif 000008